(57)【要約】【課題】携帯電話機に容易に接続して且つ携帯性の低下を招くことのない機能拡張をすることができるようにする。【解決手段】携帯電話機１は、機能拡張モジュール２の装着部に装着してコネクタ部２ｂにより接続する。モジュール２内には、制御回路６、ＩＣカードリーダライタ７、駆動用バッテリ１０などを備え、ＩＣカード３や５の制御情報を読み込んで携帯電話機１に出力する。制御情報は、携帯電話機１のキー操作に対応した情報とアドレス情報などからなり、自動的にメールを発信したり、ホームページを閲覧できる。【選択図】　図１
2004104479.tif 000002
【特許請求の範囲】
【請求項１】
携帯電話機の制御情報を記憶した記憶媒体の情報を読み出し可能な読取部と、
携帯電話機を装着可能な装着部と、
この装着部に装着される前記携帯電話機と信号の授受を行なうためのコネクタ部と、
前記記憶媒体に記憶されている制御情報を前記読取部により読み出して前記装着部に装着された前記携帯電話機に前記コネクタ部を介して制御出力情報として与える制御手段とを備えたことを特徴とする携帯電話機用機能拡張装置。
【請求項２】
請求項１に記載の携帯電話機用機能拡張装置において、
前記携帯電話機に対して付加する機能を有する機能モジュールを接続して動作可能な機能モジュール接続部を備えたことを特徴とする携帯電話機用機能拡張装置。
【請求項３】
請求項１または２に記載の携帯電話機用機能拡張装置において、
駆動用バッテリを備えていることを特徴とする携帯電話機用機能拡張装置。
【請求項４】
請求項１ないし３のいずれかに記載の携帯電話機用機能拡張装置において、
外部から動作電力の供給を受けるための給電端子を備えていることを特徴とする携帯電話機用機能拡張装置。
【請求項５】
請求項４に記載の携帯電話機用機能拡張装置において、
前記駆動用バッテリは、前記給電端子から受ける外部の動作電力により充電可能に設けられていることを特徴とする携帯電話機用機能拡張装置。
【請求項６】
請求項３ないし５のいずれかに記載の携帯電話機用機能拡張装置において、
前記装着部に装着される前記携帯電話機に対して給電するように構成されていることを特徴とする携帯電話機用機能拡張装置。
【請求項７】
請求項１ないし６のいずれかに記載の携帯電話機用機能拡張装置において、
前記読取部は、カード型の記憶媒体に記憶されている制御情報の読取が可能に設けられていることを特徴とする携帯電話機用機能拡張装置。
【請求項８】
請求項７に記載の携帯電話機用機能拡張装置において、
前記読取部は、前記カード型の記憶媒体として磁気的に情報が記憶されたものを読み取るように構成されていることを特徴とする携帯電話機用機能拡張装置。
【請求項９】
請求項７に記載の携帯電話機用機能拡張装置において、
前記読取部は、前記カード型の記憶媒体として有接点のＩＣカードの読み書きを行なうように構成されていることを特徴とする携帯電話機用機能拡張装置。
【請求項１０】
請求項７に記載の携帯電話機用機能拡張装置において、
前記読取部は、前記カード型の記憶媒体として非接触型のＩＣカードの読み書きを行なうように構成されていることを特徴とする携帯電話機用機能拡張装置。
【請求項１１】
請求項１ないし１０のいずれかに記載の携帯電話機用機能拡張装置において、
前記読取部は、前記記憶媒体としてＩＤタグの読み書きを行なうように構成されていることを特徴とする携帯電話機用機能拡張装置。
【請求項１２】
携帯電話機の制御情報を記憶した記憶媒体と、
この記憶媒体に記憶されている制御情報を読み出して前記携帯電話機にその制御情報を出力する携帯電話機用機能拡張装置とを備え、
前記携帯電話機用機能拡張装置は、
前記記憶媒体から制御情報を読み出す読取部と、
前記携帯電話機を装着可能な装着部と、
この装着部に装着される前記携帯電話機と信号の授受を行なうためのコネクタ部と、
前記読取部により読み出した前記制御情報を前記装着部に装着された前記携帯電話機に前記コネクタ部を介して制御出力情報として与える制御手段とを有することを特徴とする携帯電話機システム。
【請求項１３】
携帯電話機の制御情報を記憶した記憶媒体と、
請求項１ないし１１のいずれかに記載の携帯電話機用機能拡張装置とを備えたことを特徴とする携帯電話機システム。
【請求項１４】
請求項１２または１３に記載の携帯電話機システムにおいて、
前記記憶媒体は、メールアドレスの送信制御情報、インターネットのホームページへの接続に必要な制御情報やアドレス情報が記憶されていることを特徴とする携帯電話機システム。
【請求項１５】
請求項１２ないし１４のいずれかに記載の携帯電話機システムにおいて、
前記記憶媒体は、複数の携帯電話機の機種に対応可能な前記制御情報が記憶され、
前記携帯電話機用機能拡張装置の制御手段は、前記装着部に装着される前記携帯電話機の機種に応じた制御情報を前記記憶媒体から読み出すように構成されていることを特徴とする携帯電話機システム。
【請求項１６】
請求項１２ないし１５のいずれかに記載の携帯電話機システムにおいて、
前記記憶媒体に記憶される制御情報は、前記携帯電話機のキー操作手順に対応した情報として記憶され、
前記制御手段は、当該携帯電話機の動作機能を利用する際に手動でキー操作を行なうのと同じキー操作を行なわせるように制御情報を出力するように構成されていることを特徴とする携帯電話機システム。
【発明の詳細な説明】
【０００１】
【発明の属する技術分野】
本発明は、携帯電話機の機能を拡張することによりその操作性の向上を図ることができるようにした携帯電話機用機能拡張装置および携帯電話機システムに関する。
【０００２】
【発明が解決しようとする課題】
携帯電話機でメール送信やインターネットの接続をする場合に、携帯電話機の複雑なキー操作やメールあるいはホームページのアドレスの入力を行なう必要があり、煩わしい作業のひとつであった。また、これらの操作手順については、多様な機種のそれぞれで同じではないので、統一した操作手順を設定することができず、利用者にこれらを解決するものを提供することが新たな課題として考えられる。
【０００３】
一方、従来、携帯電話機に専用のモジュールなどを接続してメールを送信するようにした機器があったが、このようなメール機能は機種によって操作内容や操作手順が異なるため、使用者が機器の機種に対応した設定の登録を行う必要があり、使用者にとっては煩わしい作業となっていた。
【０００４】
加えて、このような携帯電話機に接続するモジュールの構成としては、一般に、携帯電話機のコネクタ部にケーブルを介して接続するようにしているので、コネクタを接続した状態で持ち運ぶことが携帯性の低下を招くと共に、コネクタ部に偏った力が作用して場合によっては破損してしまうなどの問題もあった。
【０００５】
本発明は上記事情に鑑みてなされたものであり、その目的は、携帯電話機に機能拡張のために容易に接続することができ、しかも携帯性の低下を招くこともなく、また、メールやホームページの閲覧なども簡単且つ迅速に行うことができるうようにした携帯電話機用機能拡張装置および携帯電話機システムを提供することにある。
【０００６】
【課題を解決するための手段】
請求項１の発明によれば、装着部に携帯電話機を装着してコネクタ部を接続して一体にした状態で、読取部により記憶媒体の情報を読み出すと、制御手段は、読み出した情報を携帯電話機に対して制御出力情報として与えるようになる。これにより、携帯電話機の装着時の携帯性を損なうことなく、必要なときにだけ携帯電話機を用いて操作入力する際の面倒な操作を制御出力情報により自動的に行わせることができるようになるので、携帯電話機の操作性の向上を図ることができると共に、機能拡張を容易に行うことができるようになる。また、携帯電話機を一体に装着するので、コネクタ部による接続部分の信頼性も確保することができるようになる。
【０００７】
請求項２の発明によれば、上記発明において、携帯電話機に対して付加する機能を有する機能モジュールを接続して動作可能な機能モジュール接続部を備えた構成としたので、本来携帯電話機に接続することができないものでも、機能モジュール接続部を介して接続することができるようになるので、携帯電話機の機能を高めてより高機能なものとすることができる。また、必要な機能だけを追加して使用することができるので、多様な使用目的に経済性を重視した構成で対応することができるようになる。
【０００８】
請求項３の発明によれば、上記各発明において、駆動用バッテリを備えた構成としているので、機能拡張のために本体に備えた駆動用バッテリを用いて駆動することができるので、携帯電話機に負担をかけることなく使用することができ、また、携帯性の低下を招くこともなく利用することができる。
【０００９】
請求項４の発明によれば、上記各発明において、外部から動作電力の供給を受けるための給電端子を備えた構成としているので、外部から給電を受けた状態で使用することができ、車両などの車載バッテリを利用した使用形態もできるようになり、外部電源がある場合には、駆動用バッテリを内蔵している構成でも、その消耗を少なくして効率的な使用をすることができるようになる。
【００１０】
請求項５の発明によれば、上記請求項４の発明において、駆動用バッテリを、給電端子から受ける外部の動作電力により充電可能な構成としたので、駆動用バッテリが消耗したときや外部電源を得ることができる場合には、駆動用バッテリに充電しながら使用することができるようになる。
【００１１】
請求項６の発明によれば、請求項３ないし５の発明において、装着部に装着される携帯電話機に対して給電するように構成したので、携帯電話機のバッテリが消耗している場合には、給電することで補うことができるようになる。
【００１２】
請求項７の発明によれば、上記各発明において、読取部を、カード型の記憶媒体に記憶されている制御情報の読取が可能な構成としたので、携帯電話機にカードリーダなどを備えていない構成であっても、カード情報を取り込んで制御あるいはデータとして利用することができるようになる。これによって、携帯電話機に依存することなく、カード型の記憶媒体を利用した制御情報やデータの利用が行なえるようになり、情報の共有をより簡便で広範囲で行なうことができるようになる。
【００１３】
請求項８の発明によれば、上記請求項７の発明において、読取部を、カード型の記憶媒体として磁気的に情報が記憶されたものを読み取るように構成し、また、請求項９の発明によれば、有接点のＩＣカードの読み書きを行なえるように構成し、さらに、請求項１０の発明によれば、非接触型のＩＣカードの読み書きが行なえるように構成し、請求項１１の発明によれば、ＩＤタグの読み書きが行なえるように構成したので、さまざまなカード型の記憶媒体に記憶された制御情報やデータを利用することができ、その情報の性質や制御情報の内容あるいはデータの種類などに応じて適切な媒体を選んで利用することができるようになる。
【００１４】
請求項１２の発明によれば、携帯電話機用機能拡張装置は、装着部に携帯電話機が装着され、その携帯電話機がコネクタ部に接続された状態で、読取部により記憶媒体に記憶されている制御情報を読み出すと、制御手段により、読み出した情報を携帯電話機に対して制御出力情報として与えるようになる。これにより、携帯電話機の装着時の携帯性を損なうことなく、携帯電話機を用いて操作入力する際の面倒な操作を制御出力情報により自動的に行わせることができるようになるので、携帯電話機の操作性の向上を図ることができると共に、機能拡張を容易に行うことができるようになる。
【００１５】
請求項１３の発明によれば、記憶媒体として携帯電話機の制御情報を記憶したものを用いると共に、前記請求項１ないし１１に記載の携帯電話機用機能拡張装置を設ける構成としているので、前述した携帯電話機用機能拡張装置を用いて携帯電話機の制御情報を記憶した記憶媒体から読み出した情報に基づいて携帯電話機に制御出力情報を与えて制御することができ、これによって、携帯電話機の機能を拡張するための構成を携帯性を損なうことなく確実に成すことができると共に、携帯電話機を用いて行なう煩わしい操作を簡単に自動的に実行させることができるようになり、利便性の向上を図ることができるようになる。
【００１６】
請求項１４の発明によれば、上記請求項１２または１３の発明において、記憶媒体は、メールアドレスの送信制御情報、インターネットのホームページへの接続に必要な制御情報やアドレス情報が記憶されているものを使用するシステムとしているので、携帯電話機を用いてメールの送受信やインターネットのホームページへのアクセスなどを実行する場合の面倒なキー操作入力の手順などを、一連の制御情報として記憶媒体に記憶させておくことで簡単且つ迅速に実行することができるようになる。
【００１７】
請求項１５の発明によれば、上記請求項１２ないし１４の発明において、記憶媒体を、複数の携帯電話機の機種に対応可能な制御情報を記憶するように構成し、携帯電話機用機能拡張装置の制御手段に、装着部に装着される携帯電話機の機種に応じた制御情報を記憶媒体から読み出すように構成したので、携帯電話機の機種に依存したキー操作内容やキー操作手順の違いなどがある場合でも、記憶媒体の制御情報を読み出したときに、携帯電話機用機能拡張装置の制御手段により自動的に携帯電話機の機種に対応した制御情報を読み出すことができるようになり、携帯電話機の使用者にとっては、その都度機種による違いを把握してキー操作を行なう必要がなくなって利便性が高まり、記憶媒体の提供者である情報提供者側においては、携帯電話機の機種による制限を受けることなく広い範囲で利用してもらうべく情報を提供するための制御情報を作成することができるようになる。
【００１８】
請求項１６の発明によれば、上記請求項１２ないし１５の発明において、記憶媒体に記憶される制御情報を、携帯電話機のキー操作手順に対応した情報として記憶し、制御手段を、当該携帯電話機の動作機能を利用する際に手動でキー操作を行なうのと同じキー操作を行なわせるように制御情報を出力するように構成したので、携帯電話機のキー操作を自動的に行わせることができるようになり、煩わしい操作入力作業を極力少なくして使い勝手の向上を図ることができるようになる。
【００１９】
【発明の実施の形態】
（第１の実施形態）
以下、本発明を記憶媒体として有接点のＩＣカードおよび非接触型のＩＣカードの読み取りを行えるようにした構成の第１の実施形態について、図１ないし図６を参照して説明する。
【００２０】
図２はこの携帯電話機システムの全体構成の外観を示すもので、折りたたみタイプの携帯電話機１に対して、携帯電話機用機能拡張装置としての機能拡張モジュール２は、携帯電話機１のキーパッド１ａが配設されている部分を装着部２ａに装着できるように構成されたジャケット型の構造を採用している。携帯電話機１は、表示部１ｂおよびアンテナ１ｃを備えた一般的な構成のものである。
【００２１】
機能拡張モジュール２は、携帯電話機１のコネクタ部１ｄ（図１参照）と接続可能なコネクタ部２ｂを備えており、携帯電話機１が装着部２ａに装着されるとコネクタ部２ｂも電気的に接続されるように構成されている。また、側面部には有接点のＩＣカード３を挿入可能なスロット２ｃが設けられると共に、内部には後述するアンテナ４を備えており、非接触型のＩＣカード５との間の通信が可能な構成とされている。
【００２２】
図１は機能拡張モジュール２の電気的構成を中心として示すもので、制御手段としての制御回路６は、ＣＰＵを主体としてＲＯＭやＲＡＭなどを備えた構成のもので、後述する制御プログラムを内部に記憶している。この制御回路６には、読取部としてのＩＣカードリーダライタ７が接続されており、これに接続されているコイルアンテナ４により非接触型のＩＣカード５のコイルアンテナ５ａとの間で通信を行って情報の読み書きを行う。
【００２３】
また、ＩＣカードリーダライタ７は、前述したスロット２ｃに有接点のＩＣカード３が挿入されると、そのＩＣカード３の接点部３ａを介して信号の授受をおこなって情報を読んだり書き込んだりする機能を有している。制御回路６には、外部から別の機能を拡張するための機能モジュール８の接続が可能となるようにコネクタ９が設けられている。機能モジュール８としては、例えば、ＩＤタグの情報を読み書きするためのリーダライタ装置や、ブルートゥースのインターフェース回路、あるいはその他の通信機能を拡張するためのインターフェース回路などが挙げられる。
【００２４】
機能拡張モジュール２は、内蔵される駆動用バッテリ１０により給電される構成であるが、電源入力端子２ｄから電源アダプタ１１を介して外部電源１２から給電を受けることもできるように構成されている。外部電源１２としては、例えば商用電源（ＡＣ）や、車載バッテリなどがある。
【００２５】
制御回路６と駆動用バッテリ１０とは、コネクタ２ｂを介して携帯電話機１のコネクタ部１ｄに接続可能に構成されており、後述するように、制御回路６により制御情報の送信を行うと共に、駆動用バッテリ１０により携帯電話機１に給電したり、携帯電話機１のバッテリ（図示せず）の充電を行ったりすることができるようになっている。
【００２６】
また、制御回路６は、コネクタ２ｅを介して外部の上位機器１３に接続可能に構成されており、例えば、パソコンやＰＤＡ（Ｐｅｒｓｏｎａｌ　Ｄｉｇｉｔａｌ　Ａｓｓｉｓｔａｎｃｅ）などに接続して情報の授受をすることができるように構成されている。
【００２７】
図３および図４は有接点のＩＣカード３および非接触型のＩＣカード５の電気的構成の概略を示している。図３において、有接点のＩＣカード３は、制御情報を記憶するための記憶手段であるメモリ（不揮発性メモリ、フラッシュメモリなど）３ｂを備えており、インターフェース回路３ｃを介して接点部３ａと接続されており、機能拡張モジュール２のスロット２ｃに挿入されると電気的に接続されるように構成されている。
【００２８】
図４において、非接触型のＩＣカード５は、内部に制御回路５ｂを備えており、この制御回路５ｂは、メモリ５ｃに制御情報を記憶すると共に、その制御情報を非接触式通信部５ｄからコイルアンテナ５ａを介して機能拡張モジュール２との間で通信を行うようになっている。コイルアンテナ５ａには電源生成部５ｅも接続されており、コイルアンテナ５ａを介して給電を受けて駆動用の電源として内部の回路に供給するようになっている。
【００２９】
上記構成の作用について、図５および図６も参照して説明する。まず、この携帯電話機システムにおいて実施可能な拡張機能について簡単に説明する。ここでは、有接点のＩＣカード３あるいは非接触型のＩＣカード５を用いて、機能拡張モジュール２により、携帯電話機１に対して、カード内のメモリに記憶しているメールアドレスのアカウントにメールの自動発信を行わせるようにした場合を例にとって説明する。
【００３０】
なお、他に、記憶しているホームページに自動的にアクセスして携帯電話機１の表示部１ｂに表示させたり、着信メロディなどのデータを読み出して自動的に登録したり、メールやアドレスデータの転送、あるいは自動発呼をしたりすることができる。
【００３１】
さて、自動的にメールを送信する機能を実現させるにあたって、ＩＣカード３，５に記憶すべき制御情報について簡単に説明する。ＩＣカード３，５は、特定の携帯電話機１に対応したものとして設定することもできるが、より汎用性を持たせるために、携帯電話機１の多数の機種に対応可能な制御情報を記憶しておくようにすることが好ましい。
【００３２】
例えば、携帯電話機１においては、機種によってその操作手順や使用するキーあるいは選択する条件などが異なっているので、それらを考慮して機種依存の少ない汎用性を持たせたものとすることが必要である。そこで、例えば、ある機能を実現させるために、図６に示すように、制御情報は、できるだけ多くの機種に対応することができるように、記憶させる。
【００３３】
ここでは、例えば３つの機種Ａ，Ｂ，Ｃについて、それぞれの機種毎に制御ｊ方法が記憶されている。機種Ａについては、携帯電話機Ａ制御情報を初めに記述し、続いて送信相手となるメールアドレスを記述し、再び携帯電話機Ａ制御情報を記述して一連のキー操作手順を示す制御情報を終了する。以下、機種Ｂ、機種Ｃについても同様にして各機種に対応した制御情報として記述している。
【００３４】
図５は、機能拡張モジュール２の制御回路６により実行されるプログラムである。携帯電話機１が機能拡張モジュール２の装着部２ａに装着されると、制御回路６は、その携帯電話機１とコネクタ２ｂを介して通信を行い、機種情報を取得する（ステップＳ１）。制御回路６は、取得した機種情報を内部メモリに記憶してＩＣカードの制御情報の読み取り処理時に備えて待機するようになる（ステップＳ２）。
【００３５】
使用者により、有接点のＩＣカード３がスロット２ｃに挿入されるか、あるいは非接触のＩＣカード５が機能拡張モジュール２に近づけられると、ＩＣカードリーダライタ７がこれを検知するので、制御回路６は、ＩＣカード３または５有りと判断し（ステップＳ２で「ＹＥＳ」と判断）、ステップＳ３に進むようになる。
【００３６】
次に、制御回路６は、ＩＣカード３または５に記憶されている制御情報を読み込むが、このとき、先に記憶した携帯電話機１の機種情報を読み出し、その機種に対応した制御情報を読み込むようになる（ステップＳ３）。ここでは、前述したように、図６に示すように機種毎に対応して一連のキー操作手順について記憶された制御情報やメールアドレスの情報について、対応する機種の制御情報を読み出す。
【００３７】
続いて、読み出した制御情報を携帯電話機１に対してキー操作手順に対応して順次出力していく（ステップＳ４）。これにより、携帯電話機１においては、ＩＣカード３または５に記憶されているメールアドレスにメールを発信するように、自動的にキー操作が入力されるようになる。
【００３８】
また、この機能拡張モジュール２は、外部機器１３として、パソコンやＰＤＡからも同様のキー操作に関する制御情報を送信することができ、これによって、上述同様の制御情報を与えて携帯電話機１を制御することができるようになる。
【００３９】
このようにして、携帯電話機１のキー操作について面倒な操作入力手順などを自動的に実施することができるので、メール送信などのほかにも、インターネットに接続して所望するホームページを閲覧するようにした機能や、指定した相手に自動的にダイヤルして発呼する機能や、あるいは、携帯電話機１の着信メロディなどを取り込んだり、アドレスや電話番号などの登録作業などについても自動的に行わせることができるようになる。
【００４０】
また、機能モジュール８をコネクタ９に装着することで、例えば、ブルートゥース機能を利用することができるようになるし、他のローカルなネットワークへの接続を行う機能や、ＩＤタグのリーダライタを接続することでＩＤタグの情報を読んだり書いたりすることもできるようになる。
【００４１】
（第２の実施形態）
図７は本発明の第２の実施形態を示すもので、第１の実施形態と異なるところは、機能拡張モジュール１４のコネクタ部１５として、ケーブル１５ａを介してコネクタ１５ｂを設ける構成としたところである。
【００４２】
図７（ａ）は上面から、（ｂ）は端面側から、（ｃ）は側面から見た図で、ここでは、折りたたみタイプではなく一体型の携帯電話機１６を用いた例を示している。携帯電話機１６は、機能拡張モジュール１４の装着部１４ａに装着して一体に持ち運び可能な状態とすることができる。そして、携帯電話機１６のコネクタ部には機能拡張モジュール１４に設けられたコネクタ部１５である、ケーブル１５ａに設けられたコネクタ１５ｂを接続する。
【００４３】
同図（ｃ）に示すように、第１の実施形態で示したものと同様の構成が設けられている。コイルアンテナ４は、携帯電話機１６の装着部１４ａ部分を包囲するようにしてコイルが配設されており、これによって、非接触型のＩＣカード５に対して読み取りのための角度の範囲を広く設定することができるようになる。
【００４４】
機能拡張モジュール１４には、機能モジュール８を装着するためのスロット１４ｂが設けられるとともに、内部にコネクタ９が配設されている。駆動電源としては、駆動用バッテリ１０が備えられると共に、外部電源１２を電源アダプタ１１を介して接続可能に構成されている。
【００４５】
このような構成の第２の実施形態においても、第１の実施形態と同様の作用効果を得ることができると共に、コネクタ部１５をケーブル１５ａとコネクタ１５ｂとにより構成しているので、コネクタの形状が機種によって異なる場合でも、製造段階で簡単に対応することができ、多様な機種に対応して簡単且つ安価に製造することができるようになる。
【００４６】
また、コネクタ１５ｂを携帯電話機１６に接続した状態でも携帯電話機１６が機能拡張モジュール１４と一体になっているので、持ち運びをする際にコネクタ部分を破損することを極力防止することができるようになる。
【００４７】
本発明は、上記実施形態にのみ限定されるものではなく、次のように変形または拡張できる。
記憶媒体は、ＩＣカード３や５以外に、スティックタイプのメモリや、他の様々なタイプのものを用いることができる。また、電気的な記憶手段のみならず、磁気的に制御情報を記憶するタイプのものでも使用することができる。さらには、機能モジュールとして光学的読取装置を用いれば、バーコードやＱＲコードなどの光学的情報により制御情報を記憶したものを使用することもできるようになる。
【００４８】
駆動用バッテリは、一次電池でもよいし二次電池でも良い。一次電池を使用する場合には、外部電源１２を接続したときに充電動作は行わないが、機能拡張モジュール内の給電および携帯電話機１への給電動作、充電動作を行うことができる。二次電池を使用する場合には、外部電源１２を接続したときにその充電動作も行うことが可能である。
【００４９】
駆動用バッテリは必須の構成ではなく、必要に応じて設けることができる。なお、駆動バッテリを設けない構成とする場合には、外部電源使用をするか、携帯電話機１からの給電を行うかにより駆動電力を供給することができる。
【図面の簡単な説明】
【図１】本発明の第１の実施形態を示す概略的な電気的構成図
【図２】携帯電話機システムの全体を示す外観斜視図
【図３】有接点のＩＣカードの概略的な電気的構成図
【図４】非接触型のＩＣカードの図３相当図
【図５】機能拡張モジュールの動作を示すプログラムのフローチャート
【図６】記憶媒体に記憶される制御情報の内容を示す図
【図７】本発明の第２の実施形態を示す外観図
【符号の説明】
１，１６は携帯電話機、２，１４は機能拡張モジュール（携帯電話機用機能拡張装置）、３は有接点のＩＣカード（記憶媒体）、４はコイルアンテナ、５はヒ接触型のＩＣカード（記憶媒体）、６は制御回路（制御手段）、７はＩＣカードリーダライタ（読取部）、８は機能モジュール、９はコネクタ、１０は駆動用バッテリ、１１は電源アダプタ、１２は外部電源、１３は外部機器、１５はコネクタである。
【図１】
2004104479.tif 000003
【図２】
2004104479.tif 000004
【図３】
2004104479.tif 000005
【図４】
2004104479.tif 000006
【図５】
2004104479.tif 000007
【図６】
2004104479.tif 000008
【図７】
2004104479.tif 000009